(57)【要約】【課題】動画ソースから取り込んだ静止画像データに基づいて作製されたプリントを簡単に再プリントできたり、プリントされた静止画像が登場する動画場面が簡単に見つけ出せたりできる技術を採用した画像プリント装置を提供する。【解決手段】動画ソースから静止画像データを対応するタイムコードとともに取得する動画／静止画変換管理部(31)と、前記静止画像データに画像処理を施す画像処理部（32)と、画像処理された静止画像データから画像プリントデータを生成するとともに前記タイムコードからタイムコードプリントデータを生成するプリントデータ生成部(35)と、前記画像プリントデータに対応する静止画像と前記タイムコードプリントデータに対応するタイムコードを被記録媒体(P)に形成するプリントステーションとを備えた画像プリント装置。【選択図】        図４
2005057634.tif 000002
【特許請求の範囲】
【請求項１】
動画ソースから静止画像データを対応するタイムコードとともに取得する動画／静止画変換管理部と、前記静止画像データに画像処理を施す画像処理部と、画像処理された静止画像データから画像プリントデータを生成するとともに前記タイムコードからタイムコードプリントデータを生成するプリントデータ生成部と、前記画像プリントデータに対応する静止画像と前記タイムコードプリントデータに対応するタイムコードを被記録媒体に形成するプリントステーションとを備えたことを特徴とする画像プリント装置。
【請求項２】
前記プリントステーションは前記被記録媒体の表側に前記静止画像を形成する露光プリント部と前記被記録媒体の裏側に前記タイムコードを印字するバックプリント部とを備えていることを特徴とする請求項１に記載の画像プリント装置。
【請求項３】
前記動画／静止画変換管理部は所定の取得パターンに基づいて複数の静止画像データとそれに対応するタイムコードを取得する機能を備えており、かつ前記取得パターンに基づいて取得された複数の静止画像とこれらに対応するタイムコードとが一覧配置された形態のインデックス画像データを作成する画像編集が備えられており、前記プリントデータ生成部によって前記インデックス画像データから変換されたインデックス画像プリントデータを用いて前記プリントステーションは被記録媒体にインデックス画像を形成することを特徴とする請求項１に記載の画像プリント装置。
【請求項４】
前記取得パターンとして、所定時間間隔による取得パターン、ユーザによって指定されたマーカによる取得パターン、シーンカット毎による取得パターンのいずれか又はその組み合わせが用意されていることを特徴とする請求項３に記載の画像プリント装置。
【発明の詳細な説明】
【技術分野】
【０００１】
本発明は、デジタルビデオカメラのような撮像装置や動画編集装置などで生成され動画記録媒体に格納された動画データをその記録媒体から読み込み、動画に含まれている特定シーンを静止画データとして取り出してプリント出力する画像プリント装置に関する。
【背景技術】
【０００２】
ビデオカメラなどで撮影された動画の中には、別にプリントとして残しておきたい気に入りのシーンが入っていることが多く、そのため、必要なシーンのみを静止画像データとして取り出して印画紙等の記録媒体にプリントすることが可能なビデオプリンタが実用化されている。このようなビデオプリンタにおいてプリントを希望するシーンの検索とそのプリントを簡単にするための技術として、ビデオ信号を磁気テープに記録再生するビデオ記録再生装置と、ビデオ記録再生装置から再生されたビデオ信号中の所定の画面を取り込み、この取り込んだ画面に基づく画像をプリントアウトするビデオプリンタとから構成され、磁気テープの所定の情報記録エリアにタイムコードを記録しておき、タイムコードをビデオプリンタに記憶させ、ビデオ記録再生装置から再生されたビデオ信号中のプリントアウトすべき画面位置を検索し、このプリントアウトすべき画面位置の画像をビデオプリンタに取り込んでプリントアウトするシステムがある（例えば、特許文献１参照。）。このようなビデオプリントアウトシステムでは、ビデオプリンタに供給される再生画面に付随して記録されたタイムコードを記憶手段に記憶し、その記憶手段に記憶されたタイムコードに基づいて、所望の再生画面の位置が検索され、検索された再生画面がビデオプリンタに取り込まれて印画紙等にプリントされるので、プリントを希望する画面の検索とその画面のプリントがスムーズに行われるが、一度プリントした画面を再度プリントしたい場合やそのプリントした画面を含む動画を鑑賞したい場合には、再度ビデオテープを再生しながら所望のシーンをサーチする必要がある。
【０００３】
また、動画データからより高品質の静止画像プリントを得るために、専門的なＤＰショップ（ラボ）を利用して動画データから静止画像をプリントすることも可能であるが、この場合動画に含まれている無数の場面の中からプリントを希望する場面を静止画像として特定してラボの従業者に知らせる必要があり、そのために動画データを記録した記録媒体をラボに持ち込み、ラボの従業者の前で動画をモニタ上に再生して見せてプリントしたい場面を指し示す。このような一連の作業を簡単化するために、動画データを入手する動画データ入手手段と、入手した動画データ中に記録されている動画の一場面を静止画データとして特定する静止画データ特定手段と、出力すべき画像に関する注文内容を入力する注文内容入力手段と、特定された静止画データと注文内容に基づいて、出力すべき画像及び付随する条件を記録した出力内容指示データを生成する出力内容指示データ生成手段と、前記出力内容指示データに従って画像をプリントするプリント手段とを備えた画像プリント装置も提案されている（例えば、特許文献２参照。）。このような装置では、動画データから特定した静止画をそのままプリントするだけでなく、静止画データを加工して新しく画像を編集することができるので、付加価値の高い静止画像を簡単にプリントできるようになるが、やはり、一度プリントした画面を再度プリントしたい場合やそのプリントした画面を含む動画を鑑賞したい場合には、再度ビデオテープを再生しながら所望のシーンをサーチする必要がある。
【０００４】
【特許文献１】特開平０７−３８８３１号公報（段落番号〔０００９〕、第３図）
【０００５】
【特許文献２】特開２００２−２１５７７２号公報（段落番号〔０００９〕−〔００１１〕、第１図）
【発明の開示】
【発明が解決しようとする課題】
【０００６】
上記実状に鑑み、本発明の課題は、動画ソースから取り込んだ静止画像データに基づいて作製されたプリントを簡単に再プリントできたり、プリントされた静止画像が登場する動画場面が簡単に見つけ出せたりできる技術を採用した画像プリント装置を提供することである。
【課題を解決するための手段】
【０００７】
上記課題を解決するために、本発明による画像プリント装置では、動画ソースから静止画像データを対応するタイムコードとともに取得する動画／静止画変換管理部と、前記静止画像データに画像処理を施す画像処理部と、画像処理された静止画像データから画像プリントデータを生成するとともに前記タイムコードからタイムコードプリントデータを生成するプリントデータ生成部と、前記画像プリントデータに対応する静止画像と前記タイムコードプリントデータに対応するタイムコードを被記録媒体に形成するプリントステーションとが備えられている。
【０００８】
この画像プリント装置では、動画データを記録しているデジタルビデオテープや光ディスクや半導体メモリなどの動画ソースから、画像ハードコピーとして画像プリント出力を希望するシーンを静止画像データとして取り出す際に、そのシーンを特定するタイムコード、つまりその静止画像データを特定するアドレスデータをいっしょに取り込み、静止画像データとタイムコードをリンクしておき、画像ハードコピーの際に必要な画像処理を施した後その静止画像データに基づいて画像を被記録媒体に形成するとともに、その静止画（動画の一シーン）のためのタイムコードを同じ被記録媒体に形成する。このように作製されたプリントには所望する静止画像と動画ソースにおけるこの静止画像の位置を特定するタイムコード（アドレスコード）が形成されているので、再プリント時やその静止画像が登場するシーンの動画鑑賞時にはタイムコードに利用してこの静止画像の元となったシーンを動画ソースから簡単に見つけ出すことができる。
【０００９】
タイムコードを被記録媒体に形成するにあたって、そこに形成される静止画像に対して視覚的な妨害をしないように、静止画像を被記録媒体の表側に形成し、タイムコードを裏側に形成することが好都合である。特に、この画像プリント装置が、写真フィルムからフィルムスキャナを通じて取得された撮影画像データやデジタルカメラによって取得された撮影画像データに基づいて印画紙に撮影画像を露光してプリントを作製する写真プリント装置として構成されている場合、写真プリント装置に装備されている露光条件等の情報を印画紙の裏面に印字するＣＶＰとして知られているバックプリント部によってタイムコードを印字することができる。
【００１０】
さらに、本発明の好適な実施形態では、前記動画／静止画変換管理部は所定の取得パターンに基づいて複数の静止画像データとそれに対応するタイムコードを取得する機能を備えており、かつ前記取得パターンに基づいて取得された複数の静止画像とこれらに対応するタイムコードとが一覧配置された形態のインデックス画像データを作成する画像編集部が備えられており、前記プリントデータ生成部によって前記インデックス画像データから変換されたインデックス画像プリントデータを用いて前記プリントステーションが被記録媒体にインデックス画像を形成する。これによって作製された動画インデックスプリントには、動画ソースから適切に選択された各シーンを示す静止画が一覧表示のフォーマットでタイムコードとともに形成されている。つまり、この動画インデックスプリントを元の動画ソースの画像付き目次として用いることができ、ビデオテープ等の動画ソースに種々のイベントが録画されていても、動画インデックスプリントのタイムコードと対応付けられた静止画から所望のイベントのタイムコードを直ちに見つけ出すことができ、そのイベントの動画を鑑賞することができる。
【００１１】
動画ソースから動画インデックスプリント化する静止画像の選択の仕方、つまり動画ソースから静止画データの取得パターンとしては、種々のパターン、例えば、所定時間間隔による取得パターン、ユーザによって指定されたマーカによる取得パターン、シーンカット毎による取得パターンなどが考えられる。所定時間間隔による取得パターンは、動画ソースが１つのイベントを録画している場合に適しており、その動画インデックスプリントからそのイベントの経過を知ることができる。ユーザによって指定されたマーカによる取得パターンでは、動画ソースを再生させながらマーカ設定をしていく作業が必要となるが、動画ソースにおける特徴的なシーンを抜き出した動画インデックスプリントを作製することができる。マーカ設定のような人的な負担を避けるためには、動画データからシーンカット（一回の録画で収録された区間の始点ないしは野外から室内、色温度の変化など）を自動的に検出してそのポイントで静止画像を取得するパターンが適している。これらの取得パターンは必要に応じて実装して、選択可能にするとよい。
本発明によるその他の特徴及び利点は、以下図面を用いた実施形態の説明により明らかになるだろう。
【発明を実施するための最良の形態】
【００１２】
図１は本発明による画像プリント装置としても機能する写真プリント装置を示す外観図であり、この写真プリント装置は、印画紙Ｐに対して露光処理と現像処理とを行う写真プリンタとしてのプリントステーション１Ｂと、現像済み写真フィルムやデジタルカメラ用メモリカードなどから取り込んだ撮影画像データを処理してプリントステーション１Ｂで使用されるプリントデータの生成・転送などを行うだけではなく、ビデオカメラによるビデオ撮影に用いられたビデオテープ２ａや光ディスク２ｂあるいは半導体メモリなどの動画ソースに記録された動画データから取り込んだ静止画像データを処理してプリントステーション１Ｂで使用されるプリントデータの生成・転送なども行う操作ステーション１Ａとから構成されている。
【００１３】
この写真プリント装置は、図２からよく理解できるように、プリントステーション１Ｂは２つの印画紙マガジン１１に納めたロール状の印画紙Ｐを引き出してシートカッター１２でプリントサイズに切断すると共に、このように切断された印画紙Ｐに対し、ＣＶＰ(correct value printer)と呼ばれているバックプリント部１３で色補正情報やコマ番号などのプリント処理情報を印画紙Ｐの裏面に印字するとともに、露光プリント部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまりプリントＰは、このソータ１７の複数のトレイ１７ａにオーダ単位で仕分けられた状態で集積される（図１参照）。なお、後で詳しく説明される複数の縮小された画像を一覧化したインデックスプリントＰＸもプリントＰと同様に適切にカットされた印画紙Ｐに露光部１４で露光された後処理槽ユニット１５で現像処理されることで横送りコンベア１６に出力され、トレイ１７ａにプリントＰとともに集積される。
【００１４】
上述した印画紙Ｐに対する各種処理に合わせた搬送速度で印画紙Ｐを搬送するために印画紙搬送機構１８が敷設されている。印画紙搬送機構１８は、印画紙搬送方向に関して露光部１４の前後に配置されたチャッカー式印画紙搬送ユニット１８ａを含む複数の挟持搬送ローラ対から構成されている。
【００１５】
露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１６】
前記操作ステーション１Ａのデスク状コンソールには、写真フィルムの撮影画像コマから撮影画像データを取得するフィルムスキャナ１９と、動画ソースや静止画ソースとしての記録媒体から動画データや静止画データを読み取る画像入力部２０と、この写真プリント装置のコントローラ３として機能する汎用パソコンが配置されている。画像入力部２０は、ビデオカメラによる撮影に用いられたビデオテープ２ａを再生するビデオ再生部２２と、ビデオカメラやデジタルカメラ等に装着されるテープ以外の画像記録媒体２ｂとして用いられている各種半導体メモリや光ディスクなどから撮影画像データ（ビデオの場合動画データ、カメラの場合静止画データ）を読み取るメディアリーダ２１とを含んでいる。このコントローラ３には、さらに各種情報を表示するモニタ２３、各種設定や調整を行う際に用いる操作入力部として利用されるキーボード２４やマウス２５も接続されている。
【００１７】
コントローラ３は、ＣＰＵを中核部材として、入力されたデータに対して種々の処理を行うための機能部がハードウエア又はソフトウエア或いはその両方で実装されているが、本発明に特に関係する機能部として、図３に示されているように、画像データを各種処理のために一時的に格納するワーキングメモリ３０、ビデオ再生部２２やメディアリーダ２１を通じて再生された動画データから静止画画像データを取り込んでワーキングメモリ３０に展開する動画／静止画変換管理部３１と、ワーキングメモリ３０に展開されている画像データに対して色調補正やフィルタリング（ぼかしやシャープネスなど）やトリミングなどの各種画像処理を施す画像処理部３２、複数の画像データを所定の一覧レイアウトで配置して１つのインデックス用画像データに統合する画像編集部３３、画像データやその他の表示アイテムをビデオメモリに取り込むとともにこのビデオメモリに展開されたイメージをビデオコントローラによってビデオ信号に変換してモニタ２３に送るビデオ制御部３４、画像処理部３２や画像編集部３３で処理された最終的な画像データ等をプリントデータに変換してプリントステーション１Ｂのバックプリント部１３や露光プリント部１４に転送するプリントデータ生成部３５、ＧＵＩ部３６ａによって作り出された操作画面の下で操作入力部を通じて入力された操作指令や予めプログラム化された操作指令に基づいて画像入力部２０や動画／静止画変換管理部３１や画像処理部３２や画像編集部３３などを制御するプリント管理部３６が挙げられる。
【００１８】
写真フィルムからフィルムスキャナ１９を通じて取り込まれた撮影画像データやデジタルカメラ用記録媒体からメディアリーダ２１を通じて取り込まれた撮影画像データは直接ワーキングメモリ３０に展開され、各種画像処理を受けたのちプリントデータ化されるが、画像入力部２０で再生された動画は、希望するシーンの静止画として動画／静止画変換管理部３１によって動画データから静止画データに変換されてからワーキングメモリ３０に展開され、その後適切な画像処理を受けてプリントデータ化される。
【００１９】
動画／静止画変換管理部３１は、動画データから特定シーンにおける静止画データを取得する静止画像データ取得部３１ａと、その特定シーンに付随しているタイムコードを取得するタイムコード取得部３１ｂとを備えている。取得された静止画データとタイムコードはコントローラ３内部においてリンクされており、処理されている静止画データに対していつでも対応するタイムコードを関係付けることができる。これにより、本発明による動画から取り出された静止画を形成したプリントＰ又はインデックスプリントＩＰにはその静止画に対応するタイムコードを付加させている。
【００２０】
この写真プリント装置における、写真フィルムなどの元々静止画像を記録している静止画像ソースから写真プリントＰを作製する手順は従来の写真プリント装置での手順と同じであるので、ここではその説明は省略し、動画ソースからプリントＰを作製する手順の典型例を、図４の機能ブロック図を参考にしながら説明する。
処理対象となる動画ソースをデジタルビデオテープ２ａとすると、そのデジタルビデオテープ２ａをビデオ再生部２２に装填して、動画の再生を開始する。その際、プリント管理部３６のＧＵＩ部３６ａの働きで、モニタ２３には、図５に示す静止画取り込み操作画面６０が表示される。この操作画面６０はその左半分を占める動画操作領域６１とその右半分を占める取り込み静止画像表示領域６２に区画されている。動画操作領域６１には、動画表示画面部６３、動画ソースにおける時間位置を示すタイムライン、再生やポーズさらに早送りや早戻しなどのためのボタン群、動画表示画面部６３に表示されているシーンのタイムコードを表示するタイムコード表示部６４、動画表示画面部６３に表示されているシーンを静止画像として取り込むことを指示する取込ボタン６５などが配置されている。取り込み静止画像表示領域６２には、取込ボタン６５を押すことによって取得された動画の一シーンである静止画がそのタイムコードとともに表示される。
【００２１】
つまり、動画／静止画変換管理部３１において、取込ボタン６５の操作により静止画像データ取得部３１ａが動画データから静止画データを取り込む際、タイムコード取得部３１ｂがそのタイムコードを取得し、静止画データとタイムコードのリンク付けを行う。取り込まれた静止画データはワーキングメモリ３０に転送され、適切に縮小されたサイズで静止画取り込み操作画面６０の取り込み静止画像表示領域６２に表示され、同時にタイムコードもその周辺に表示される。
【００２２】
ワーキングメモリ３０に展開された静止画データは、写真プリント処理においては良く知られているＰＪＰ（プレジャッジプリント）作業と同様の作業を通じて、画像毎に必要な色補正設定やプリント枚数設定が行われる。その際、モニタ２３に表示されるＰＪＰ画面は、図６に示されており、ここでは、６つの静止画像のためのシミュレート画像７０が表示されており、夫々のシミュレート画像７０の上側の枠領域７１にはその静止画像を特定するタイムコードを示す数字が表示され、下側の補正情報枠７２にはイエローに対応して「Ｙ」、マゼンタに対応して「Ｍ」、シアンに対応して「Ｃ」の文字、及び、濃度補正情報を示すよう「Ｄ」の文字が表示され、又、この下側のプリント枚数枠７３にはプリント枚数を示す数値が表示されている。ここでいうシミュレート画像とは、この静止画像データに基づいて露光プリント部１４によって実際に印画紙Ｐにその画像を形成された場合に予想される画像のことであり、このシミュレート画像を見ながら、色補正を指示することにより、所望の色味をもったプリントＰを作製することができる。  モニタ２３にシミュレート画像７０が表示された状態で、例えば、キーボード２４に設定された操作キーとしてのイエローキーを操作した場合には、選択状態のシミュレート画像７０に対応する補正情報枠７２の「Ｙ」の文字を強調する表示や、文字を反転させる表示や、ブリンクさせる表示を行うことでイエロー成分を補正対象に選択していることをオペレータに認識させ、この状態でプラスキーを押し操作した場合には、押し操作した回数だけイエローの成分を段階的に増大させる画像処理が行われ、同様にマイナスキーを押し操作した場合には、押し操作した回数だけイエローの成分を段階的に減少させる処理が行われ、ニュートラルキーを押し操作した場合には補正前の状態に戻す処理が行われる。図６の例のように複数のシミュレート画像７０が表示される場合これらのシミュレート画像７０のうちの１つの周囲を取り囲む選択枠７４に目につきやすい色相を与えることで、そのシミュレート画像が選択状態にあることを明示している。モニタ画面の下辺領域にはオーダ番号などを表示する枠７５が配置されている。
【００２３】
全ての取り込み静止画像に対するＰＪＰ作業が完了すると、適切に画像処理された静止画データはプリントデータ生成部３５でプリントデータに変換され、順次露光プリント部１４に転送される。それと同時に、各静止画像データにリンクされているタイムコードもプリントデータ生成部３５に送られ、各タイムコードプリントデータは、リンク関係にある静止画像データによる画像が露光プリント部１４によってその表面に形成される印画紙Ｐの裏面にそのタイムコードを印字するように、バックプリント部（ＣＶＰ）１３に転送される。これにより、プリントステーション１Ｂから出力されたプリントＰの表側には動画データから取り込んだ静止画像が形成され、その裏側にはその静止画像の動画データにおける位置を特定するタイムコードが印字されている。このようなプリントＰを得ることにより、そのプリントを焼き増しする場合にはその裏面のタイムコードによって動画データから素早く取り込み処理対象のシーンを見つけ出すことができるし、そのプリントに形成されている画像のシーンを動画で鑑賞したい場合にはその裏面のタイムコードによって素早く再生位置を設定することができる。
【００２４】
この写真プリント装置には、さらに、デジタルビデオテープ２ａなどの動画ソースから所定の取得パターンに基づいて複数の静止画像データとそれに対応するタイムコードを取得し、取得された複数の静止画像データを縮小処理した上で、これらの静止画像を対応するタイムコードとともに一覧配置した動画インデックスプリントを作製する機能を備えている。取得パターンとしては、所定時間間隔による取得パターン、ユーザによって指定されたマーカによる取得パターン、シーンカット毎による取得パターンなどを用意することができるが、ここでは、所定時間間隔（所定タイムコード間隔）による取得パターンに基づく動画インデックスプリントＩＰの処理手順を説明する。
【００２５】
ここでも処理対象となる動画ソースをデジタルビデオテープ２ａとすると、そのデジタルビデオテープ２ａをビデオ再生部２２に装填して、動画の再生を開始すると、所定タイムコード間隔（例えば５分間隔、この間隔は任意設定可能とするとよい）で、静止画像データとそのタイムコードを取り込み、ワーキングメモリ３０に展開していく。ワーキングメモリ３０に展開された静止画像データは、必要に応じて画像処理部３２によって色補正や画像サイズ変更（ここでは縮小）などの画像処理を施されるとともに、画像編集部３３によってタイムコード順に一覧配列されるが、その際各静止画像の周辺の特定箇所（例えば下側）にタイムコードも配置して、動画インデックスプリントＩＰを作製するための動画インデックス画像データを作り出す。この動画インデックス画像データはプリントデータ生成部３５でプリントデータに変換され、露光プリント部１４に転送され、印画紙Ｐを焼き付ける。プリントステーション１Ｂから出力された動画インデックスプリントＩＰの一例が図７に示されている。このような動画インデックスプリントＩＰを得ることにより、動画インデックスプリントＩＰの動画ソースとなったデジタルビデオテープ２ａの内容がシーン画像の形で把握することができるとともに、そのシーン画像を動画で鑑賞したい場合にはそのシーン画像の下側にプリントされているタイムコードによって素早く再生位置を設定することができる。
【００２６】
なお、上述した実施の形態では、ビデオ再生部２２などの画像入力部２０が操作ステーション１Ａに組み込まれているので、単独プリントＰの作製では、オペレータは顧客がタイムコード等によって指定したシーンをサーチしながら所望のシーンを静止画像データとして取り込むことになるが、そのような実施形態に代えて、画像入力部２０と動画／静止画変換管理部３１に専用モニタを加えてユニット化して操作ステーション１Ａとは別体の画像プリント受付機として構成し、顧客が動画ソースをサーチしながらプリント希望のシーンを特定していくことも可能である。この場合、画像プリント受付機で取得された静止画像データは対応するタイムコードとリンクされた形で、データ伝送路を介して操作ステーション１Ａのコントローラ３に転送される。転送された静止画像データとタイムコードは、先に実施の形態と同様に、静止画像を表側にタイムコードを裏側に形成したプリントＰの作製や、動画インデックスプリントＩＰの作製に利用される。
【００２７】
タイムコードの存在が静止画の鑑賞にそれほど支障がないようなケースでは、印画紙Ｐの表側に静止画像とともにタイムコードを形成してもよい。この場合、タイムコードと静止画像は合成画像データとして露光プリント部１４に送られて印画紙Ｐに画像が焼き付けられるので、バックプリント部１３が装備されていないような写真プリント装置には都合がよい。
【００２８】
上述したプリント処理では、動画ソースとしてデジタルビデオテープ２ａが用いられたが、光ディスクや半導体メモリなどの記録媒体２ｂを用いてもよい。また、本発明におけるタイムコードは、動画データの各フレーム（フィールド）の位置を特定するアドレスデータといった意味で用いられており、特殊な動画フォーマットにおいてタイムコードといったものが存在しないケースでは、なんらかの動画シーンの位置を特定する情報が本発明のタイムコードとして利用される。このことから、本発明は、狭義の意味でのタイムコードが存在しない動画ソースにも適用できるものである。
【産業上の利用可能性】
【００２９】
デジタルビデオカメラのような撮像装置や動画編集装置などで生成され動画記録媒体に格納された動画データをその記録媒体から読み込み、動画に含まれている特定シーンを静止画データとして取り出してプリント出力する、全ての画像プリント装置に適用することができる。
【図面の簡単な説明】
【００３０】
【図１】本発明による画像プリント装置の一例としての写真プリント装置の外観図
【図２】写真プリント装置のプリントステーションの概略的内部構造を示す模式図
【図３】写真プリント装置のコントローラの主要機能を示す模式図
【図４】動画から静止画プリントを作製する際の写真プリント装置の各機能の役割を説明する模式図
【図５】静止画取り込み操作画面を示すモニタ画面図
【図６】ＰＪＰ画面の一例を示すモニタ画面図
【図７】動画インデックスプリントの一例を示す平面図
【符号の説明】
【００３１】
１Ｂ  プリントステーション
１３    バックプリント部
１４    露光プリント部
２０    画像入力部
２１    ビデオ再生部
２２    メディアリーダ
３１    動画／静止画変換管理部
３１ａ  静止画像データ取得部
３１ｂ  タイムコード取得部
３２    画像処理部
３３    画像編集部
３５    プリントデータ生成部
３６    プリント管理部
Ｐ    被記録媒体（印画紙、プリント）
ＩＰ    動画インデックスプリント
【図１】
2005057634.tif 000003
【図２】
2005057634.tif 000004
【図３】
2005057634.tif 000005
【図４】
2005057634.tif 000006
【図５】
2005057634.tif 000007
【図６】
2005057634.tif 000008
【図７】
2005057634.tif 000009